(57)【特許請求の範囲】
【請求項１】
靴底、及び、足の甲を被覆する甲被覆部を有する靴本体と、
前記甲被覆部の上方に設けられたベロ部材と、
前記甲被覆部の左側部または右側部に一端部を支持されたバンド部材と、
前記甲被覆部の右側部または左側部に設けられ、前記バンド部材の他端部を保持可能な保持部材と、
を備え、
前記バンド部材の他端部は、選択的に、前記バンド部材が前記ベロ部材を上方から押さえるような態様で、あるいは、前記バンド部材が前記ベロ部材を下方から立ち上がらせるような態様で、前記保持部材に保持されるようになっており、
前記バンド部材の一端部は、前記甲被覆部の左側部または右側部に支持され、
前記バンド部材は、前記一端部周りに、前記甲被覆部の左側部または右側部に沿って回動可能である
ことを特徴とする靴。
【請求項２】
前記バンド部材の一端部は、前記甲被覆部の左側部または右側部に、かしめられたピン部材を介して支持され、
前記バンド部材は、前記ピン部材周りに、前記甲被覆部の左側部または右側部に沿って回動可能である
ことを特徴とする請求項１に記載の靴。
【請求項３】
前記靴本体は、踵の少なくとも一部を包囲する踵包囲部を更に有しており、
前記踵包囲部の外側面に、前記バンド部材の他端部を保持可能な第二保持部材が設けられている
ことを特徴とする請求項１または２に記載の靴。
【請求項４】
前記ベロ部材は、前記バンド部材が当該ベロ部材を下方から立ち上がらせるような態様である時、立ち上がらされた姿勢を維持できるような剛性を有し、前記バンド部材に支持され得る構造を有している
ことを特徴とする請求項１乃至３のいずれかに記載の靴。
【請求項５】
前記靴本体は、踵の少なくとも一部を包囲する踵包囲部を更に有しており、
前記甲被覆部は、前記踵包囲部側の端部の一部領域において、ゴム部材からなっており、
前記ゴム部材の前記踵包囲部の側の端縁は、直線状となっており、
前記ゴム部材の上面及び下面には、ポリテトラフルオロエチレンのテープが取り付けられている
ことを特徴とする請求項１乃至４のいずれかに記載の靴。
【請求項６】
前記靴は、前記踵包囲部の月型から前記ゴム部材まで、高さが次第に減少している
ことを特徴とする請求項５に記載の靴。
【請求項７】
前記バンド部材が前記ベロ部材を上方から押さえるような態様である時、前記バンド部材から前記踵包囲部の方にはみ出す前記ベロ部材の長さが、２５ｍｍ以下である
ことを特徴とする請求項１乃至６のいずれかに記載の靴。
【請求項８】
前記靴本体の外周の長さに対する履き口の内周の長さの割合が、５０％以上である
ことを特徴とする請求項１乃至７のいずれかに記載の靴。
【発明の詳細な説明】
【技術分野】
【０００１】
本発明は、靴に関する。特には、本発明は、救急隊員の使用に適した靴（救急靴）であって、スリッポン形状でありながら、バンド部材により着用者の個体差に関係なくフィット感の調節が可能であると共に、踵抜けを防ぎつつ容易に脱ぎ履きが可能な靴に関する。
【背景技術】
【０００２】
迅速な脱ぎ履きに適した靴として、例えば特許文献１（特開２０１３−３４６２５）に記載されている靴がある。図９（ａ）は、この靴の平面図であり、図９（ｂ）は、この靴の側面図である。図９（ａ）及び図９（ｂ）に示すように、この靴は、靴紐を有しておらず、２つの側壁（外側壁６及び内側壁７）の上端に架け渡されたゴム部材（伸縮部材９）によって、足に対するフィット感を満足させている。
【０００３】
また、図９（ａ）及び図９（ｂ）に示すように、この靴は、足の甲を被覆する甲被覆部の上方にベロ部材（舌片部２４）が設けられている。当該ベロ部材は、靴の脱ぎ履きの際には、図９（ｃ）に示す位置に立ち上げ可能となっており、そのことによって脱ぎ履きが容易となっている。
【先行技術文献】
【特許文献】
【０００４】
【特許文献１】特開２０１３−３４６２５号
【発明の概要】
【発明が解決しようとする課題】
【０００５】
しかしながら、特許文献１に記載された靴においては、図９（ｃ）に示す位置に立ち上げたベロ部材が当該位置に固定されないため、当該ベロ部材を手で当該位置に保持した状態で靴を脱ぎ履きする必要があった。
【０００６】
また、特許文献１に記載された靴においては、ベロ部材を立ち上がらせて履き口を確保するために、甲被覆部の左側部及び右側部を月型と同じ高さにまでせり上げる必要がある。同時に、足首をホールドして踵抜けを防止するために、履き口を略楕円形の形状とし、特に履き口の爪先側を狭くする必要がある。このため、特許文献１に記載された靴を履く際に、足の指が靴の履き口に引っ掛かりやすく、脱ぎ履きが不便な場合があった。
【０００７】
本件発明者は、靴の脱ぎ履きの際の利便性という点で、これらの点を改良することについて鋭意検討を重ねてきた。
【０００８】
本発明は、このような事情に基づいて行われたものであり、その目的は、靴の脱ぎ履きの際にベロ部材を立ち上げるタイプの靴であって、脱ぎ履きの際の利便性が高められた靴を提供することである。
【課題を解決するための手段】
【０００９】
本発明は、靴底、及び、足の甲を被覆する甲被覆部を有する靴本体と、前記甲被覆部の上方に設けられたベロ部材と、前記甲被覆部の左側部または右側部に一端部を支持されたバンド部材と、前記甲被覆部の右側部または左側部に設けられ、前記バンド部材の他端部を保持可能な保持部材と、を備え、前記バンド部材の他端部は、選択的に、前記バンド部材が前記ベロ部材を上方から押さえるような態様で、あるいは、前記バンド部材が前記ベロ部材を下方から立ち上がらせるような態様で、前記保持部材に保持されるようになっており、前記バンド部材の一端部は、前記甲被覆部の左側部または右側部に、回動可能に支持されていることを特徴とする靴である。
【００１０】
本発明によれば、靴を履いている状態では、バンド部材の他端部を、当該バンド部材がベロ部材を上方から押さえるような態様で保持部材に保持させておくことにより、足に対する靴のフィット感を満足させることができる。そして、靴を脱ぎ履きする際には、バンド部材の他端部を、当該バンド部材がベロ部材を下方から立ち上がらせるような態様で保持部材に保持させておくことにより、当該ベロ部材を手で保持しておかなくても、靴の脱ぎ履きを容易に行うことができる。特に、バンド部材の一端部が、甲被覆部の左側部または右側部に回動可能に支持されていることにより、バンド部材を靴に沿わせて回動させることができるため、バンド部材の他端部の保持状態の切替作業が容易である。
【００１１】
例えば、前記バンド部材の一端部は、前記甲被覆部の左側部または右側部に、かしめられたピン部材を介して回動可能に支持される。この場合、バンド部材の一端部を甲被覆部の左側部または右側部に回動可能に支持させる、という態様を容易に実現することができる。
【００１２】
また、好ましくは、前記靴本体は、踵の少なくとも一部を包囲する踵包囲部を更に有しており、前記踵包囲部の外側面に、前記バンド部材の他端部を保持可能な第二保持部材が設けられている。この場合、バンド部材の他端部を第二保持部材に保持させることで、靴を脱ぐ際の利便性を更に高めることができる。
【００１３】
あるいは、本発明は、靴底、及び、足の甲を被覆する甲被覆部を有する靴本体と、前記甲被覆部の上方に設けられたベロ部材と、前記甲被覆部の左側部または右側部に一端部を支持されたバンド部材と、前記甲被覆部の右側部または左側部に設けられ、前記バンド部材の他端部を保持可能な保持部材と、を備え、前記バンド部材の他端部は、選択的に、前記バンド部材が前記ベロ部材を上方から押さえるような態様で、あるいは、前記バンド部材が前記ベロ部材を下方から立ち上がらせるような態様で、前記保持部材に保持されるようになっており、前記ベロ部材は、前記バンド部材が当該ベロ部材を下方から立ち上がらせるような態様である時、立ち上がらされた姿勢を維持できるような剛性を有し、前記バンド部材に支持され得る構造を有していることを特徴とする靴である。
【００１４】
本発明によれば、靴を履いている状態では、バンド部材の他端部を、当該バンド部材がベロ部材を上方から押さえるような態様で保持部材に保持させておくことにより、足に対する靴のフィット感を満足させることができる。そして、靴を脱ぎ履きする際には、バンド部材の他端部を、当該バンド部材がベロ部材を下方から立ち上がらせるような態様で保持部材に保持させておくことにより、当該ベロ部材を手で保持しておかなくても、靴の脱ぎ履きを容易に行うことができる。特に、バンド部材がベロ部材を下方から立ち上がらせるような態様である時、当該ベロ部材が立ち上がらされた姿勢を維持できるような剛性を有し、前記バンド部材に支持され得る構造を有していることにより、靴を脱ぎ履きする際の利便性が高められている。
【００１５】
以上の各発明において、前記靴本体は、踵の少なくとも一部を包囲する踵包囲部を更に有しており、前記甲被覆部は、前記踵包囲部側の端部の一部領域において、ゴム部材からなっており、前記ゴム部材の前記踵包囲部の側の端縁は、直線状となっていることが好ましい。このような履き口（靴を履く際の開口）の形態は、脱ぎ履きにとって好適である。
この場合、更に、前記ゴム部材の上面及び下面にポリテトラフルオロエチレンのテープが取り付けられていることが好ましい。この場合、靴を履く際の当該ゴム部材の折れや巻き込みを効果的に回避できる。更に、前記踵包囲部の月型から前記ゴム部材まで、高さが次第に減少していることが好ましい。この場合、使用者の足の指と靴の履き口との引っ掛かりの発生を、効果的に防止できる。
【００１６】
また、以上の各発明において、前記バンド部材が前記ベロ部材を上方から押さえるような態様である時、前記バンド部材から前記踵包囲部の方にはみ出す前記ベロ部材の長さは、２５ｍｍ以下であることが好ましい。この場合、広い履き口を維持したままで靴のフィット感を調節することができる。また、ベロ部材が長すぎないため、靴を履く際の当該ベロ部材の巻き込みを回避することができる。また、はみ出す前記ベロ部材の長さを中央部分において意図的に０ｍｍにして、バンド部材の下にベロ部材を隠す事も可能である。この場合、ベロ部材は足首をホールドするが、個体差によっては抜けが発生する事もある。しかしながら、このようなベロ部材の形状は、甲高の足にとって有効（甲高対策）であり、甲高の足の甲を確りと固定する事が可能である。
【００１７】
また、前記靴本体の外周の長さに対する履き口の内周の長さの割合が５０％以上であることが好ましい。この場合、履き口が広く、脱ぎ履きの利便性が一層高められた靴を提供することができる。
【発明の効果】
【００１８】
本発明によれば、靴を履いている状態では、バンド部材の他端部を、当該バンド部材がベロ部材を上方から押さえるような態様で保持部材に保持させておくことにより、足に対する靴のフィット感を満足させることができる。そして、靴を脱ぎ履きする際には、バンド部材の他端部を、当該バンド部材がベロ部材を下方から立ち上がらせるような態様で保持部材に保持させておくことにより、当該ベロ部材を手で保持しておかなくても、靴の脱ぎ履きを容易に行うことができる。特に、バンド部材の一端部が、甲被覆部の左側部または右側部に回動可能に支持されていることにより、バンド部材を靴に沿わせて回動させることができるため、バンド部材の他端部の保持状態の切替作業が容易である。
【００１９】
あるいは、本発明によれば、靴を履いている状態では、バンド部材の他端部を、当該バンド部材がベロ部材を上方から押さえるような態様で保持部材に保持させておくことにより、足に対する靴のフィット感を満足させることができる。そして、靴を脱ぎ履きする際には、バンド部材の他端部を、当該バンド部材がベロ部材を下方から立ち上がらせるような態様で保持部材に保持させておくことにより、当該ベロ部材を手で保持しておかなくても、靴の脱ぎ履きを容易に行うことができる。特に、バンド部材がベロ部材を下方から立ち上がらせるような態様である時、当該ベロ部材が立ち上がらされた姿勢を維持できるような剛性を有し、前記バンド部材に支持され得る構造を有していることにより、靴を脱ぎ履きする際の利便性が高められている。
【図面の簡単な説明】
【００２０】
【図１】本発明の一実施の形態による靴の概略平面図である。
【図２】図１の靴を左側から見た概略側面図である。
【図３】図１の靴を右側から見た概略側面図である。
【図４】図１の靴の履き口と当該靴の外周とを示す概略平面図である。
【図５】２６．０ｃｍのサイズにおける、図１の靴の履き口の割合と特許文献１の靴の履き口の割合とを比較した図表である。
【図６】図１の靴のベロ部材の下方の構造を示す概略平面図である。
【図７】図１の靴において、バンド部材がベロ部材を下方から立ち上がらせた状態を示す概略側面図である。
【図８】図１の靴において、バンド部材を右側部に沿わせた状態を示す概略側面図である。
【図９】特許文献１の靴を示す概略図である。図９（ａ）は、特許文献１の靴の概略平面図であり、図９（ｂ）は、図９（ａ）の概略側面図であり、図９（ｃ）は、ベロ部材を立ち上げた状態の図９（ｂ）に対応する図である。
【発明を実施するための形態】
【００２１】
図１は、本発明の一実施の形態による靴１００の概略平面図であり、図２は、図１の靴１００を左側から見た概略側面図であり、図３は、図１の靴１００を右側から見た概略側面図である。図１乃至図３に示すように、本実施の形態の靴１００は、左足用であり、靴底１１、足の甲を被覆する甲被覆部、及び、踵の側方及び後方を包囲する踵包囲部、を有する靴本体１０と、甲被覆部の上方に設けられたベロ部材２０と、を備えている。
【００２２】
本実施の形態における靴１００の甲被覆部は、甲被１２と呼ばれる部材と、右方の側壁１３の一部と、左方の側壁１４の一部と、からなっている。ベロ部材２０は、甲被１２と重なる領域においては当該甲被１２に対して縫合固定されているが、側壁１３、１４に対しては固定されておらず、図６及び図７に示すように、立ち上げられるようになっている。
【００２３】
また、本実施の形態における靴１００の踵包囲部は、後壁１５と呼ばれる部材と、右方の側壁１３の他の一部と、左方の側壁１４の他の一部と、からなっている。
【００２４】
図１乃至図３に示す左足用の靴１００と対をなす右足用の靴（不図示）においては、側壁の左右が逆となる（鏡像の関係となる）。
【００２５】
また、図１乃至図３に示すように、本実施の形態の靴１００には、右方の側壁１３に一端部３０ａを支持されたバンド部材３０が設けられている。本実施の形態のバンド部材３０は、革製であり、全体的には２．５ｃｍの幅を有している。但し、他端から２．３ｃｍまでの他端側領域においては、他の領域よりも幅広の４．０ｃｍの幅を有しており、当該幅広の領域を含む他端から４．０ｃｍまでの領域（他端部３０ｂ）の左方の側壁１４に面する側に、面ファスナが設けられている。なお、本実施の形態の靴１００に関する寸法は、２６．０ｃｍのサイズの場合の例示的な値である。
【００２６】
そして、図２に示すように、本実施の形態の靴１００の左方の側壁１４に、バンド部材３０の他端部３０ｂを保持可能な保持部材として、面ファスナ４０が設けられている。本実施の形態の面ファスナ４０は、縦２．４ｃｍ、横６．０ｃｍの矩形の形状を有している。当該面ファスナ４０は、バンド部材３０の他端部３０ｂに設けられた前記面ファスナと係合可能となっている。本実施の形態のバンド部材３０の他端部３０ｂは、選択的に、バンド部材３０がベロ部材２０を上方から押さえるような態様で、あるいは、バンド部材３０がベロ部材２０を下方から立ち上がらせるような態様（図７参照）で、面ファスナ４０に保持（係合）されるようになっている。
【００２７】
本実施の形態のベロ部材２０は、甲被１２と同じ素材、例えば革製である。また、図１に示すように、ベロ部材２０の後壁１５側の端部は、足幅に対して平行ではなく、足首の形状に沿うように、爪先側に向かう窪みを有するアーチ状に形成されている。このため、ベロ部材２０の左右両端は、アーチの中央部分より前後方向において長く形成されている。また、当該ベロ部材２０の左右両端は、靴１００の右方及び左方の側壁１３、１４の腰部（前後方向における中央領域）の上端縁に架け渡されるように形成されている。このような構成により、ベロ部材２０のアーチ形状に対応して履き口１８が広くなっているため、バンド部材３０がベロ部材２０を上方から押さえるような態様である時、靴１００を履く際に手を使わなくとも履き口１８に足を入れ易くなっている。更に、靴１００を履く際における足がベロ部材２０を巻き込む力が、当該ベロ部材２０の左右両端から靴１００の右方及び左方の側壁１３、１４の上端縁に移動（分散）され、当該右方及び左方の側壁１３、１４の上端縁によってベロ部材２０が押し上げられて、当該ベロ部材２０の巻き込みが回避されるようになっている。
【００２８】
以上のような本実施の形態のベロ部材２０の構成は、特許文献１の靴のベロ部材の構成とは次の点で異なっている。すなわち、特許文献１の靴では、前述の通り、ベロ部材の巻き込みを回避するために、当該ベロ部材をある程度立ち上げた構造となっている。このため、特許文献１の靴のベロ部材は、踵側の端部が月型と略同じ高さに位置しており、当該靴の右方及び左方の側壁でベロ部材を支持しつつ、当該ベロ部材に与えられる力を爪先方向に移動（分散）させるようになっている。
【００２９】
図４は、図１の靴１００の履き口１８と当該靴１００の外周とを示す概略平面図であり、図５は、２６．０ｃｍのサイズにおける、図１の靴１００の履き口１８の割合と特許文献１（特開２０１３−３４６２５号）の靴の履き口の割合とを比較した図表である。
【００３０】
靴１００の履き口１８の割合とは、図４に示すように、平面視における靴１００の外周Ｌ２の長さに対する履き口１８の内周Ｌ１の長さの割合が採用されている。特許文献１の靴においても、同様にして履き口の割合が定義された。その結果、図５に示すように、本実施の形態の靴１００は、履き口１８の割合が５２％であり、特許文献１の靴の履き口の割合（４７％）より５％も広いものであった。
【００３１】
また、本実施の形態では、バンド部材３０がベロ部材２０を上方から押さえるような態様である時、バンド部材３０から後壁１５の方にはみ出すベロ部材２０の長さは、左右両端において約２０ｍｍ、中央部において約１５ｍｍとなっている。はみ出す長さが長すぎると、開口部が狭くなって脱ぎ履きがしにくくなり、靴１００を履く際にベロ部材２０が巻き込まれ易くなる。また、着用者の足首を痛めてしまわないよう、ベロ部材２０は、あまり硬い素材でないことが好ましい。適度な硬度のベロ部材２０を有する靴１００において、履き口１８を広くして脱ぎ履きを容易にするためのバンド部材３０とベロ部材２０との関係は、バンド部材３０の下方から後壁１５の方にはみ出すベロ部材２０の長さが２５ｍｍ以下であるという関係が適当である。
【００３２】
そして、本実施の形態のベロ部材２０は、バンド部材３０が当該ベロ部材２０を下方から立ち上がらせるような態様(図７参照）である時、立ち上がらされた姿勢を維持できるような剛性を有し、バンド部材３０に支持され得る構造を有している。
【００３３】
本実施の形態のバンド部材３０の一端部３０ａは、図３に示すように、かしめられたピン部材５０を介して右方の側壁１３に支持されている。これにより、バンド部材３０は、その一端部３０ａ周りに、すなわち、ピン部材５０周りに、靴１００（の側壁１３）に沿わせながら回動可能となっている。本実施の形態では、ピン部材５０は、靴１００の全体の長さの約２分の１の位置に取り付けられている。
【００３４】
また、本実施の形態では、図３に示すように、後壁１５の外側面に、バンド部材３０の他端部３０ｂを保持可能な第二保持部材として、第二面ファスナ６０が設けられている。当該第二面ファスナ６０は、バンド部材３０を一方の側壁１３に沿わせながら後壁１５側に回動させた際、当該バンド部材３０の他端部３０ｂに設けられた面ファスナを係合可能（保持可能）となっている（図８参照）。
【００３５】
次に、図６は、本実施の形態の靴１００のベロ部材２０の下方の構造を示す概略平面図である。図６に示すように、本実施の形態の靴１００の甲被覆部の後壁１５側の端部の一部領域は、バンド状のゴム部材１６からなっている。本実施の形態のゴム部材１６は、右方の側壁１３の上端と左方の側壁１４の上端との間に架け渡されていて、ゴム部材１６の後壁１５側の端縁は、靴１００の爪先側の端部から１４ｃｍの距離に位置している。また、ゴム部材１６の幅（爪先側の端縁から後壁１５側の端縁までの距離）は、２．８ｃｍであり、後壁１５側の端縁は初期状態において長さ４．４ｃｍの直線状となっている。
【００３６】
また、図６に示すように、ゴム部材１６の上面及び下面には、ポリテトラフルオロエチレンのテープ１７が取り付けられている。具体的には、ゴム部材１６の左右方向における中央領域が、２つ折りにされた幅２．０ｃｍの帯状のポリテトラフルオロエチレンのテープ１７によって挟み込まれて、ポリテトラフルオロエチレンのテープ１７の折り目がゴム部材１６の後壁１５側の端縁に一致している。ポリテトラフルオロエチレンのテープ１７の裏面（ゴム部材１６側の面）には、予め接着剤が塗布されて、ゴム部材１６に接着されている。更に、本実施の形態のポリテトラフルオロエチレンのテープ１７は、爪先側の２つの端部が互いに縫合されて、ゴム部材１６からの剥離が防止されている。
【００３７】
図２及び図３に戻って、本実施の形態の靴１００は、後壁１５の月型からゴム部材１７まで、高さが次第に減少している（傾斜している）。具体的には、後壁１５の月形の高さは、靴底１１の接地面から１０．５ｃｍであり、この地点からゴム部材１６の後壁１５側の端縁まで高さが次第に２．５ｃｍ減少して、ゴム部材１６の後壁１５側の端縁の高さは靴底１１の接地面から８．０ｃｍである。
【００３８】
また、本実施の形態の靴１００の右方の側壁１３、左方の側壁１４、及び、後壁１５の各々の履き口１８に対応する領域には、厚さ約１ｃｍのクッション材が全周に亘るように設けられている。更に、当該クッション材が設けられた領域を含む履き口１８の内装（裏材）として、摩擦係数の高い滑り防止材によるライニングが施されている。
【００３９】
次に、図７及び図８を参照して、本実施の形態の靴１００の作用について説明する。
【００４０】
図７は、図１の靴１００において、バンド部材３０がベロ部材２０を下方から立ち上がらせた状態を示す概略側面図であり、図８は、図１の靴１００において、バンド部材３０を右方の側壁１３の外面上に沿わせた状態を示す概略側面図である。
【００４１】
本実施の形態の靴１００は、初期状態においては、図１に示すように、バンド部材３０がベロ部材２０を上方から押さえるような態様で、バンド部材３０の他端部３０ｂが左方の側壁１４に設けられた面ファスナ４０に保持（係合）されている。
【００４２】
本実施の形態の靴１００は、これを履く際に、バンド部材３０がベロ部材２０を下方から立ち上がらせるような態様とされる。すなわち、靴１００を履こうとする者は、バンド部材３０の他端部３０ｂを一旦面ファスナ４０から分離して、ベロ部材２０を上方へ持ち上げ、バンド部材３０をベロ部材２０の下方に通過させて、バンド部材３０がベロ部材２０を下方から立ち上がらせるような態様として、再びバンド部材３０の他端部３０ｂを面ファスナ４０に保持させる。この状態が、図７に示されている。
【００４３】
このように、バンド部材３０がベロ部材２０を下方から立ち上がらせるような態様で面ファスナ４０に保持されることにより、ベロ部材２０を手で保持しておかなくても、靴１００を容易に履くことができる。また、本実施の形態のベロ部材２０は十分な剛性を有し、バンド部材３０に支持され得る構造を有しているため、立ち上がらされた姿勢がしっかりと維持され、靴１００をより一層容易に履くことができる。
【００４４】
また、靴１００を履く際、あるいは靴１００を履いている際に、バンド部材３０の他端部３０ｂと面ファスナ４０との相対位置を調整することで、靴１００の足に対するフィット感を容易に調整することができる。この調整の際、バンド部材３０がピン部材５０周りに回動できることは、調整の自由度を高めるため、極めて有利である。
【００４５】
靴１００を履き終えた者は、バンド部材３０の他端部３０ｂを再び面ファスナ４０から分離して、ベロ部材２０をバンド部材３０の下方に収めて寝かせた後、バンド部材３０をベロ部材２０の上方から押さえるような態様として、バンド部材３０の他端部３０ｂを面ファスナ４０に保持させる。すなわち、靴１００を図１の状態に戻す。これにより、靴１００の脱げが防止される。
【００４６】
本実施の形態の靴１００は、これを脱ぐ際には、バンド部材３０が右方の側壁１３の外面上に沿わされて、バンド部材３０の他端部３０ｂが第二面ファスナ６０によって保持（係合）された状態とされる。すなわち、靴１００を脱ごうとする者は、バンド部材３０の他端部３０ｂを一旦面ファスナ４０から分離して、ピン部材５０周りの回動を利用してバンド部材３０を側壁１３に沿わせて移動させ、バンド部材３０の他端部３０ｂを第二面ファスナ６０に保持させる。この状態が、図８に示されている。
【００４７】
このように、バンド部材３０が右方の側壁１３の外面上に沿わされた態様で第二面ファスナ６０に保持されることにより、ベロ部材２０がフリーになるため、靴１００を極めて容易に脱ぐことができる。
【００４８】
もっとも、靴１００を脱ぐ際においても、靴１００を履く際と同様、バンド部材３０がベロ部材２０を下方から立ち上がらせるような態様とされてもよい。このような使い方は、その後直ぐに靴１００を履く際に都合がよい（バンド部材３０がベロ部材２０を下方から立ち上がらせるような態様を維持しておけばよいから）。つまり、靴１００の使い方は制限されない。あるいは、靴１００を履いている際においても、靴１００を脱ぐ際と同様、バンド部材３０が右方の側壁１３の外面上に沿わされた態様が維持されてもよい。このような使い方でも、フィット感はやや低下するとしても、足のサイズによっては履き口１８の内装（裏材）等の作用によって靴１００が脱げない。このような使い方は、靴１００をスリッパ代わりにして短距離だけ移動する際に都合がよい。つまり、靴１００の使い方は制限されない。
【００４９】
以上のような本実施の形態によれば、靴１００を履いている状態では、バンド部材３０の他端部３０ｂを、当該バンド部材３０がベロ部材２０を上方から押さえるような態様で面ファスナ４０に保持させておくことにより、足に対する靴１００のフィット感を満足させることができる。そして、靴１００を脱ぎ履きする際には、バンド部材３０の他端部３０ｂを、当該バンド部材３０がベロ部材２０を下方から立ち上がらせるような態様で面ファスナ４０に保持させておくことにより、履き口１８を一層広くすることができると共に、靴１００を履く際のベロ部材２０の巻き込みを回避することができる。また、この時、当該ベロ部材２０を手で保持しておかなくても、靴１００の脱ぎ履きを容易に行うことができる。特に、バンド部材３０の一端部３０ａが、右方の側壁１３に回動可能に支持されていることにより、バンド部材３０を靴１００に沿わせて回動させることができるため、バンド部材３０の他端部３０ｂの保持状態の切替作業が容易である。
【００５０】
また、ベロ部材２０とバンド部材３０とを採用したことにより、本実施の形態の靴１００において、広い履き口１８を設けることができると共に、個体差のある着用者の足の形状に合わせてフィット感を所望に調節して踵抜けを効果的に防止することができる。
【００５１】
本実施の形態では、バンド部材３０の一端部３０ａは、かしめられたピン部材５０を介して回動可能に支持されているが、このような態様は、バンド部材３０の一端部３０ａを回動可能に支持させる構成として簡便で好適である。
【００５２】
また、本実施の形態では、右方の側壁１３にバンド部材３０の他端部３０ｂを保持可能な第二面ファスナ６０が設けられているため、靴を脱ぐ際の利便性が更に高められている。
【００５３】
また、本実施の形態では、バンド部材３０がベロ部材２０を下方から立ち上がらせるような態様である時、当該ベロ部材２０が立ち上がらされた姿勢を維持できるような剛性を有し、バンド部材３０に支持され得る構造を有していることによっても、靴を脱ぎ履きする際の利便性が高められている。
【００５４】
また、本実施の形態では、ゴム部材１６の後壁１５側の端縁が直線状となっているため、履き口１８（靴を履く際の開口）の形態が脱ぎ履きにとって好適である。また、ゴム部材１６の上面及び下面にポリテトラフルオロエチレンのテープ１７が取り付けられていることにより、靴１００を履く際のゴム部材１６の折れや巻き込みも効果的に回避できる。更に、月型からゴム部材１６まで、高さが次第に減少していることにより、使用者の足の指と靴１００の履き口１８との引っ掛かりの発生を、効果的に防止できる。
【００５５】
また、本実施の形態では、バンド部材３０がベロ部材２０を上方から押さえるような態様である時、バンド部材３０の下方から後壁１５の方にはみ出すベロ部材２０の長さは、約２０ｍｍである。このため、広い履き口１８を維持したままで靴１００のフィット感を好適に調節することができる。また、ベロ部材２０が長すぎないため、靴１００を履く際の当該ベロ部材２０の巻き込みを回避することができる。
【００５６】
本実施の形態では、以上のように、バンド部材３０、ベロ部材２０、及び、月型からゴム部材１６まで高さが次第に減少している履き口１８、を組み合わせることにより、個体差に合わせてフィット感を調節することができると共に、靴本体１０の外周の長さに対する履き口１８の内周の長さの割合が５０％以上、具体的には５２％まで高めても踵抜けが発生しにくい、という従来なしえなかったスリッポン型の靴を実現することができる。これにより、履き口１８が広く、脱ぎ履きの利便性が一層高められた靴を提供することができる。
【００５７】
以上のような靴１００は、救急隊員など、靴の脱ぎ履きの頻度が高く、特に靴を履く作業が負担となる使用者にとって好適である。
【符号の説明】
【００５８】
１０  靴本体
１１  靴底
１２  甲被
１３  一方の側壁
１４  他方の側壁
１５  後壁
１６  ゴム部材
１７  ポリテトラフルオロエチレンのテープ
１８  履き口
２０  ベロ部材
３０  バンド部材
４０  面ファスナ（保持部材）
５０  ピン部材
６０  第二面ファスナ（第二保持部材）
１００  靴
Ｌ１  履き口の内周
Ｌ２  靴の外周
【図１】
0006316775.tif 000002
【図２】
0006316775.tif 000003
【図３】
0006316775.tif 000004
【図４】
0006316775.tif 000005
【図５】
0006316775.tif 000006
【図６】
0006316775.tif 000007
【図７】
0006316775.tif 000008
【図８】
0006316775.tif 000009
【図９】
0006316775.tif 000010